(57)【要約】【課題】  デジタル映像機器を提供する。【解決手段】  キャプチャリングされたイメージの画質を表す所定の評価点数を算出するステップと、算出された評価点数に基づいてキャプチャリングされたイメージを管理するステップと、を含むことを特徴とするデジタル映像機器のイメージ管理方法である。これにより、ユーザが容易にイメージをキャプチャリングまたは編集でき、不要なイメージを削除してメモリの浪費を防止できる。【選択図】  図２
2006042344.tif 000002
【特許請求の範囲】
【請求項１】
デジタル映像機器のイメージ管理方法において、
キャプチャリングされたイメージの画質を表す所定の評価点数を算出するステップと、
前記算出された評価点数に基づいて、前記キャプチャリングされたイメージを管理するステップと、を含むことを特徴とするイメージ管理方法。
【請求項２】
前記評価点数を算出するステップは、前記キャプチャリングされたイメージの画質を表す少なくとも一つの所定の基準によって前記評価点数を算出することを特徴とする請求項１に記載のイメージ管理方法。
【請求項３】
前記評価点数を算出するステップは、前記評価点数を換算して総合点数を計算することを特徴とする請求項２に記載のイメージ管理方法。
【請求項４】
前記所定の基準は、輝度、明暗比、色相、焦点及び露出のうちの少なくとも一つを含むことを特徴とする請求項２に記載のイメージ管理方法。
【請求項５】
前記キャプチャリングされたイメージを管理するステップは、
前記算出された評価点数を前記キャプチャリングされたイメージと共にユーザに表示するステップと、
前記表示された評価点数を見て、ユーザが再撮影を要求する場合、最初から再びイメージをキャプチャリングし、ユーザが再撮影を要求しない場合、前記キャプチャリングされたイメージと前記算出された評価点数とを保存するステップと、を含むことを特徴とする請求項１に記載のイメージ管理方法。
【請求項６】
前記表示するステップで、前記評価点数が既設定の所定の基準値以下である場合、ユーザに再撮影が必要であるということを知らせるアラームを表示することを特徴とする請求項５に記載のイメージ管理方法。
【請求項７】
前記アラームをテキストまたは音声で表示することを特徴とする請求項６に記載のイメージ管理方法。
【請求項８】
前記キャプチャリングされたイメージを管理するステップは、
前記算出された評価点数に基づいて保存された少なくとも一つのイメージを整列するステップと、
前記整列されたイメージとそれに対応する評価点数とを共に表示するステップと、
ユーザが設定した所定の基準値以下の前記整列されたイメージを選択して削除するステップと、を含むことを特徴とする請求項１に記載のイメージ管理方法。
【請求項９】
前記キャプチャリングされたイメージを管理するステップは、
前記算出された評価点数に基づいて保存された少なくとも一つのイメージを整列するステップと、
前記整列されたイメージとそれに対応する評価点数とを共に表示するステップと、
既設定の所定の基準値以下の前記整列されたイメージを検索して削除するステップと、を含むことを特徴とする請求項１に記載のイメージ管理方法。
【請求項１０】
前記イメージを整列するステップは、
類似したイメージ同士を集めて前記評価点数によって優先順位を付与して整列することを特徴とする請求項８または９に記載のイメージ管理方法。
【請求項１１】
デジタル映像機器において、
キャプチャリングされたイメージの画質を表す所定の評価点数を算出する計算部と、
前記計算部で算出された前記評価点数に基づいて、前記キャプチャリングされたイメージを管理するイメージ管理部と、を備えることを特徴とするデジタル映像機器。
【請求項１２】
前記計算部は、前記キャプチャリングされたイメージの画質を表す少なくとも一つの所定の基準によって前記評価点数を算出することを特徴とする請求項１１に記載のデジタル映像機器。
【請求項１３】
前記計算部は、前記評価点数を換算して総合点数を計算することを特徴とする請求項１２に記載のデジタル映像機器。
【請求項１４】
前記所定の基準は、輝度、明暗比、色相、焦点及び露出のうちの少なくとも一つを含むことを特徴とする請求項１２に記載のデジタル映像機器。
【請求項１５】
前記イメージ管理部は、
前記算出された評価点数を前記キャプチャリングされたイメージと共にユーザに表示し、前記表示された評価点数を見て、ユーザが再撮影を要求する場合、最初から再びイメージをキャプチャリングし、ユーザが再撮影を要求しない場合、前記キャプチャリングされたイメージと前記算出された評価点数とを保存することを特徴とする請求項１１に記載のデジタル映像機器。
【請求項１６】
前記イメージ管理部は、前記評価点数が既設定の所定の基準値以下である場合、ユーザに再撮影が必要であるということを知らせるアラームを表示することを特徴とする請求項１５に記載のデジタル映像機器。
【請求項１７】
前記アラームをテキストまたは音声で表示することを特徴とする請求項１６に記載のデジタル映像機器。
【請求項１８】
前記イメージ管理部は、
前記算出された評価点数に基づいて保存された少なくとも一つのイメージを整列し、前記整列されたイメージとそれに対応する評価点数とを共に表示し、ユーザが設定した所定の基準値以下の前記整列されたイメージを選択して削除することを特徴とする請求項１１に記載のデジタル映像機器。
【請求項１９】
前記イメージ管理部は、
前記算出された評価点数に基づいて保存された少なくとも一つのイメージを整列し、前記整列されたイメージとそれに対応する評価点数とを共に表示し、前記デジタル映像機器自体に既設定の所定の基準値以下の前記整列されたイメージを検索して削除することを特徴とする請求項１１に記載のデジタル映像機器。
【請求項２０】
前記イメージ管理部は、
類似したイメージ同士を集めて前記評価点数によって優先順位を付与して整列することを特徴とする請求項１８または１９に記載のデジタル映像機器。
【発明の詳細な説明】
【技術分野】
【０００１】
本発明は、デジタル映像機器に係り、効率的な管理機能を有するデジタル映像機器及びそのイメージ管理方法に関する。
【背景技術】
【０００２】
最近、デジタルカメラ、カメラ内蔵型携帯電話、スキャナ、プリンタ、複合機などの家電機器（Ｃｕｓｔｏｍｅｒ Ｅｌｅｃｔｒｏｎｉｃｓ：以下、ＣＥという）の使用が普遍化しつつある。これにより、さらに鮮明な高画質のデジタルイメージを得、これを便利に管理しようとする要求が生じている。
【０００３】
しかし、一般的なデジタル映像機器の場合、単に焦点ウィンドウや露出計、小型プリビューディスプレイを提供するのみである。すなわち、簡単な露出計を活用してユーザが露出を調整するか、または自動で設定し、ビューファインダ内の焦点ウィンドウを見て直接焦点を調整した後、ユーザが概算して判断した後にイメージを撮影する。小型のプリビューディスプレイを通じて撮影されたイメージの画質を判断し、再撮影するかまたは保存するかを決定する。
【０００４】
また、以後に撮影されたイメージをパソコンで編集する時には、ユーザが数百または数千枚の保存されたイメージを一々確認しつつ、画質が良好なイメージを選択すると共に、その他を削除する整理、編集作業を経ねばならなかった。
【０００５】
さらに、ほとんど小型の携帯機器であるデジタル映像機器は、プリビューディスプレイ画面のサイズが小さいだけでなく、明るい野外照明下では、そのディスプレイされる画質が低下して、撮影されたイメージの画質を正確に判断し難いという問題点があった。また、重複して同じ対象を数回撮影した場合にも、イメージを編集、整理するまでは何れも保存して置くため、メモリが浪費されるという問題点があった。特に、長期間旅行する時、メモリが限定された小型の携帯機器を使用する場合には、メモリ不足の問題が発生した。
【特許文献１】韓国特許出願公開第２０００−００４７０６２号明細書
【特許文献２】特開２０００−２７７０４３号公報
【特許文献３】特開２００１−２９１０５４号公報
【発明の開示】
【発明が解決しようとする課題】
【０００６】
本発明が解決しようとする技術的課題は、前述した問題点を解決するために、効率的な管理機能を有するデジタル映像機器及びそのイメージ管理方法を提供することである。
【課題を解決するための手段】
【０００７】
前記課題は、本発明によってデジタル映像機器のイメージ管理方法において、キャプチャリングされたイメージの画質を表す所定の評価点数を算出するステップと、算出された評価点数に基づいてキャプチャリングされたイメージを管理するステップと、を含むことを特徴とするイメージ編集方法によって達成される。
【０００８】
前記評価点数を算出するステップは、キャプチャリングされたイメージの画質を表す少なくとも一つの所定の基準によって評価点数を算出することが望ましい。
【０００９】
また、前記評価点数を算出するステップは、評価点数を換算して総合点数を計算することが望ましい。
【００１０】
前記所定の基準は、輝度、明暗比、色相、及び露出のうちの少なくとも一つを含むことが望ましい。
【００１１】
また、前記キャプチャリングされたイメージを管理するステップは、算出された評価点数をキャプチャリングされたイメージと共にユーザに表示するステップと、表示された評価点数を見てユーザが再撮影を要求する場合、最初から再びイメージをキャプチャリングし、ユーザが再撮影を要求しない場合、キャプチャリングされたイメージと算出された評価点数とを保存するステップと、を含むことが望ましい。
【００１２】
前記表示するステップで、評価点数が既設定の所定の基準値以下である場合、ユーザに再撮影が必要であるということを知らせるアラームを表示することが望ましく、前記アラームをテキストまたは音声で表示することが特に望ましい。
【００１３】
また、前記キャプチャリングされたイメージを管理するステップは、算出された評価点数に基づいて保存された少なくとも一つのイメージを整列するステップと、整列されたイメージとそれに対応する評価点数とを共に表示するステップと、ユーザが設定した所定の基準値以下の整列されたイメージを選択して削除するステップと、を含むことが望ましい。
【００１４】
前記キャプチャリングされたイメージを管理するステップは、算出された評価点数に基づいて保存された少なくとも一つのイメージを整列するステップと、整列されたイメージとそれに対応する評価点数とを共に表示するステップと、デジタル映像機器自体に既設定の所定の基準値以下の整列されたイメージを検索して削除するステップと、を含むことが望ましい。
【００１５】
また、前記イメージを整列するステップは、類似したイメージ同士を集めて評価点数によって優先順位を付与して整列することが望ましい。
【００１６】
一方、本発明の他の分野によれば、前記技術的課題は、デジタル映像機器において、キャプチャリングされたイメージの画質に基づいて所定の評価点数を算出する計算部と、計算部で算出された評価点数に基づいてキャプチャリングされたイメージを管理するイメージ管理部と、を備えることを特徴とするデジタル映像機器によって達成される。
【発明の効果】
【００１７】
本発明によれば、効率的な編集機能を有するデジタル映像機器及びそのイメージ編集方法が提供される。
【００１８】
すなわち、イメージの画質を評価する評価点数を算出し、これをユーザに表示することによって、ユーザが便利で迅速に最上のイメージを得ることができ、必要な場合、再撮影を通じてさらに良好なイメージを得ることができる。
【００１９】
また、保存されたイメージを整理、編集する過程でも、評価点数によってイメージを整列して表示することによって、最適のイメージのみ保存し、残りの画質が基準値以下である不要なイメージを一括的に削除できる。
【００２０】
これにより、ユーザが容易にイメージをキャプチャリングまたは編集でき、不要なイメージを削除してメモリの浪費を防止できる。
【００２１】
さらに、デジタルカメラやカメラ内蔵型携帯電話のようなデジタル映像機器のＬＣＤ（Ｌｉｑｕｉｄ Ｃｒｙｓｔａｌ Ｄｉｓｐｌａｙ）ディスプレイ装置の画面サイズが小さく、明るい野外照明下で装置自体が鮮明な画質を示すことができないため、撮影したイメージの画質を正確に判断し難いという問題点を解決し、ユーザの判断を助けるヘルパ機能を提供する。
【発明を実施するための最良の形態】
【００２２】
以下、添付した図面を参照して本発明の望ましい実施形態を説明する。
【００２３】
図１は、本発明による映像機器を示すブロック図である。
【００２４】
図１を参照すれば、本発明によるデジタル映像機器は、イメージキャプチャリング部１０、評価点数算出部２０、イメージ管理部３０、及びイメージ保存部４０を備える。
【００２５】
イメージキャプチャリング部１０は、映像を撮影してそのイメージをキャプチャリングする。キャプチャリングされたイメージは、評価点数算出部２０に伝達される。
【００２６】
評価点数算出部２０は、所定の基準によって伝達されたイメージの画質を評価する評価点数を算出する。例えば、キャプチャリングされたイメージの輝度、明暗比、色相、焦点及び露出についての情報のうちの少なくとも一つが評価基準として使われうる。具体的に、評価点数を算出する方法は、後述する。
【００２７】
イメージ管理部３０は、算出された評価点数に基づいてキャプチャリングされたイメージを管理する。すなわち、映像を撮影する場合ならば、算出された評価点数をユーザに表示し、当該評価点数が所定の基準値以下である場合、再撮影せねばならないということをユーザに知らせる。
【００２８】
また、イメージ管理部は、算出された評価点数をキャプチャリングされたイメージと共にユーザに表示し、ユーザが再撮影するか否かを判断するのに助けを与える。すなわち、ユーザは、表示された評価点数を見て、基準値以下であれば、再撮影を要求でき、この場合、最初から再びイメージをキャプチャリングする。一方、表示された評価点数に満足する場合ならば、キャプチャリングされたイメージと評価点数とをイメージ保存部４０に保存する。ユーザの判断を助けるために、イメージ管理部３０は、評価点数が既設定の所定の基準値以下である場合、ユーザに再撮影が必要であるということを知らせるアラームを表示することもある。すなわち、テキストまたは音声で再撮影が必要であるということを知らせる。
【００２９】
さらに、イメージ管理部は、評価点数に基づいて保存された複数のイメージを整列し、対応する評価点数と共にユーザに表示する。ユーザは、手動で自身が所望する所定の基準値以下のイメージを選択して削除できる。または、デジタル映像機器自体に既設定の所定の基準値以下のイメージを検索して自動削除することもある。このとき、イメージ管理部は、同一の、または類似したイメージ同士を集めて優先順位を付与して整列できる。
【００３０】
イメージ保存部４０は、前述したように、ユーザが表示された評価点数に満足する場合、またはイメージの評価点数が所定の基準値以上である場合、当該イメージを保存する。
【００３１】
以下では、前述した本発明によるデジタル映像機器の構成に基づいて、本発明によるイメージ管理方法を説明する。特に、イメージをキャプチャリングする方法とキャプチャリングされたイメージを編集する方法とに分けて説明する。
【００３２】
図２は、本発明による映像機器のイメージキャプチャリング方法を示す図面である。
【００３３】
図２を参照すれば、デジタルカメラやカメラ内蔵型携帯電話のように、イメージをキャプチャリングして保存するデジタル映像機器で、最適の画質を有するイメージを得るようにイメージをキャプチャリングする方法が示されている。
【００３４】
まず、イメージをキャプチャーするか、または他のデジタル映像機器でキャプチャリングされた映像が伝送される（ステップ２０１）。キャプチャリングされたイメージの画質を評価する評価点数を算出する（ステップ２０２）。キャプチャリングされたイメージの画質を評価する基準として、焦点、輝度、明暗比、露出のような基準によって、各基準に該当する評価点数を計算する。この場合、標本化されたデータベースを利用して、各基準別評価点数を算出させることもある。評価点数を算出する具体的な方法は、後述する。また、算出された各基準別の評価点数を所定の加重値によって換算して、総合点数を計算することもある。その後、算出された評価点数とキャプチャリングされたイメージとを画面に表示する（ステップ２０３）。もし、評価点数が既設定の所定の基準値以下である場合、ユーザにイメージを再び撮影するようにアラームメッセージを表示することもある（ステップ２０４）。アラームメッセージは、テキストまたは音声で提供できる。もちろん、アラームを表示するステップ２０４は、オプション事項である。このとき、ユーザが再撮影を選択すれば（ステップ２０５）、再びステップ２０１の動作から行う。一方、ユーザが表示された評価点数とイメージとに満足するか、または判断を留保する場合、すなわち、再撮影しないように選択すれば（ステップ２０５）、イメージと評価点数とをイメージ保存部４０に保存する（ステップ２０６）。ユーザは、画面に表示される評価点数を利用するか、またはアラームを利用して、再撮影するか否かをさらに容易かつ迅速に判断できる。
【００３５】
一方、図３は、本発明による映像機器のイメージ編集方法を示す図面である。
【００３６】
図３を参照すれば、デジタルカメラ、カメラ内蔵型携帯電話のようなデジタル映像機器またはパソコンのデジタル映像編集ソフトウェアなどでキャプチャリングされたイメージを編集する場合、算出された評価点数を利用してイメージの画質に基づいて整列することによって、イメージの保存または削除のような編集作業を便利にできる方法が示される。
【００３７】
まず、編集モードである場合、評価点数に基づいて保存された複数のイメージを整列し（ステップ３０１）、整列されたイメージとそれに対応する評価点数とを共に画面に表示する（ステップ３０２）。手動モード（ステップ３０３）ならば、ユーザは、整列されたイメージのうち、評価点数が所望の基準以下であるものを選択してこれらを何れも削除できる（ステップ３０４）。一方、手動モードではない場合（ステップ３０３）、デジタル映像機器自体に既設定の所定の基準以下のイメージを検索してこれらを自動で削除させることができる（ステップ３０５）。もちろん、ユーザのエラーを防止するために、マイクロソフトウィンドウズ（登録商標）のゴミ箱機能のように、一時削除してユーザの確認を受けた後に完全削除させることもできる。
【００３８】
これにより、画質が低下する不要なイメージを保存することによってメモリ空間を浪費することを防止できる。また、ユーザが一々イメージを全部確認し、各イメージを削除するか否かを判断して一つずつ削除する、従来の技術の不便さを解決できる。
【００３９】
さらに、ユーザが同じ映像を数回撮影して複数の類似したイメージが存在する場合、類似したイメージ同士を集めて、評価点数に基づいて優先順位を付与し、画面に表示することによって、ユーザが容易に最上の画質を有するイメージを選択できる。
【００４０】
以下、本発明によるイメージのキャプチャリング方法及び編集方法が適用された実施形態を説明する。
【００４１】
図４は、本発明の一実施形態であって、デジタルカメラに適用されたイメージキャプチャリング方法を説明するための図面である。
【００４２】
図４を参照すれば、プリビューディスプレイにキャプチャリングされたイメージと共にそのイメージの評価点数が表示されるところが示されている。すなわち、イメージを撮影すれば、直ぐ後述する方法によってキャプチャリングされたイメージを分析して評価点数を算出する。本実施形態では、焦点、輝度、明暗比が評価基準として使われた例を示す。また、各評価基準を所定の加重値によって換算した総合点数も表示される。ユーザは、映像を撮影する時、キャプチャリングされた映像と共に表示される評価点数及び／または総合点数を見て、当該イメージが一定の画質を満足するか否かを容易かつ迅速に判断でき、その判断結果によって、キャプチャリングされたイメージを保存せず、新たに再撮影するか、そうでなければ、キャプチャリングされたイメージを保存するか否かを決定できる。すなわち、キャプチャリングされたイメージと共に表示される評価点数が、ユーザの判断を助けるヘルパの役割を行える。
【００４３】
一方、図５は、本発明の他の実施形態であって、パソコンに適用されたイメージ編集方法を説明するための図面である。
【００４４】
図５を参照すれば、パソコンで保存されたイメージを容易に編集、整理する方法が示される。画面には、保存されている複数のイメージが評価点数を利用して画質によって優先順位を決定し、その優先順位別に整列されて表示される。図５の場合、輝度、明暗比、色相、及び焦点を基準として算出された評価点数が表示され、各評価点数の平均値が総合点数として表示される（５０２）。また、総合点数による優先順位が表示される（５０１）。ユーザは、表示された優先順位を見て保存されたイメージの画質を一目で判断できて、削除または保存するファイルを容易に選択できる。特に、図５に示したように、類似したイメージが重畳されて保存されている場合、優先順位が高い画質のイメージを残し、残りは削除してメモリの浪費を防止できる。
【００４５】
また、ユーザが手動で所望の総合点数以下または優先順位以下のイメージを一度に選択して一括削除できる。またはデジタル映像機器に既設定の所定の基準以下の総合点数を有するか、または優先順位を有するイメージを自動で検索して一括削除することもある。このとき、ユーザのエラーを減らすために、選択されたファイルを臨時にゴミ箱に置いてユーザの確認を受けた後に完全に削除させることもある。
【００４６】
このように、本発明によるデジタル映像機器は、評価点数を利用して、ユーザのイメージキャプチャリング及びキャプチャリングされたイメージの整理、編集を手助けする機能を提供する。
【００４７】
図６は、本発明による評価点数を算出する過程を説明するための図面である。
【００４８】
図６を参照すれば、評価点数算出部６０でキャプチャリングされたイメージデータから焦点、輝度、明暗比のような評価基準別の評価点数を算出する過程が示されている。算出された各評価点数を所定の加重値によって換算した総合点数を計算できる。
【００４９】
以下、さらに具体的に評価点数を算出する方法の一実施形態を説明する。
【００５０】
図７は、本発明による評価点数を算出するのに使われる各基準を説明するためのヒストグラムの一例である。
【００５１】
図７を参照すれば、イメージの画質判断に重要な基準となる評価基準として、輝度と明暗比とが示されている。一般的に、イメージの輝度は、０〜２５５のレベル値で正規化して表現する。図７Ａ及び図７Ｂに示したように、０に近いほど暗く、２５５に近いほど明るいイメージであることを表す。また、図７Ｃ及び図７Ｄに示したように、０〜２５５の各画素のレベル値が広く分布されていれば明暗比が高く、かつ狭く分布されていれば明暗比が低いイメージであることを表す。図面で、Ｐは確率を表し、ｒｋは各画素のレベル値を表す。イメージの各画素のレベル値の分布図を利用すれば、ヒストグラムのパターンによるイメージの類型が分かる。
【００５２】
したがって、キャプチャリングされたイメージをグレースケールに変換した後、各画素一つ一つに対するレベル値を表現したヒストグラムを見れば、イメージの輝度についての情報や明暗比（鮮明度）の程度を判断できる。これを数値化して評価点数を算出するために色々なアルゴリズムを利用できるが、以下、本発明では、グレースケールイメージのパターンを利用して簡単に評価点数を算出する例を説明する。
【００５３】
図８は、本発明による評価点数算出方法において、イメージとヒストグラムの相関関係を説明するための図面である。
【００５４】
図８を参照すれば、明暗比（鮮明度）が低いイメージ（ａ）の場合、（ｃ）のように、そのヒストグラム分布が狭く現れたことが分かり、明暗比（鮮明度）が高いイメージ（ｂ）の場合、（ｄ）のように、そのヒストグラム分布が広く現れたことが分かる。このような一つのイメージで偏差を求めることによって、どの類型の分布を有するかを判断できる。
【００５５】
【数１】
2006042344.tif 000003
【００５６】
さらに具体的に、輝度に対する評価点数を算出するために、数式（１）を利用できる。
【００５７】
【数２】
2006042344.tif 000004
【００５８】
また、明暗比（鮮明度）に対する評価点数を算出するために、数式（２）を利用できる。
【００５９】
【数３】
2006042344.tif 000005
【００６０】
高画質イメージの一般的な適正輝度、明暗比及び分布度は、製造業者のデジタル映像機器の設定及び対象イメージによって決定されるので、製造業者が実験的な方法で標本となる値を設定できる。設定された値は、データベースとして管理されることもある。例えば、イメージの輝度成分を囲う枠(Rave of the brightness of the image)が図７のヒストグラムで中間値である１２７以上であれば輝度イメージであり、また最適の輝度が１２０〜１５０であるという実験的データを得たとすれば、イメージの輝度成分を囲う枠がこの領域を逸脱する場合、一定量のペナルティを与える方式で評価点数を算出できる。明暗比も、数式（２）で求めた標準偏差σを利用して、実験的に最適の明暗比領域を決定し、この領域を逸脱する場合、ペナルティを与える方式で算出できる。
【００６１】
具体的に、各評価基準による評価点数を計算すれば、
【００６２】
【数４】
2006042344.tif 000006
【００６３】
【数５】
2006042344.tif 000007
【００６４】
のように、０〜１００の値に正規化できる。
【００６５】
焦点もエッジ検出アルゴリズムや鮮明度フィルタアルゴリズムを利用して、ＢやＣのように、０〜１００の値で正規化できる。
【００６６】
【数６】
2006042344.tif 000008
【００６７】
前述した数式（３）、（４）、（５）を通じて算出したＢ、Ｃ、Ｆを利用して、最終的に下記のように、ユーザが一目でイメージの画質を評価できるように総合点数を計算することもある。
【００６８】
【数７】
2006042344.tif 000009
【００６９】
ここで、ａ、ｂ、ｃは、ユーザが調節できる加重値であって、
【００７０】
【数８】
2006042344.tif 000010
【００７１】
であり、初期値は１であることが望ましい。
【００７２】
このように算出された
【００７３】
【数９】
2006042344.tif 000011
【００７４】
のような評価値を製造業者またはユーザが既設定の基準値と比較して、基準値以下の低画質イメージを一括削除するなど前述したように多様に利用できる。
【００７５】
以上、前述した評価点数を算出する方法は、一つの実施形態に過ぎず、他のアルゴリズムを利用してイメージの画質を評価する評価点数を数値化できる。また、輝度、明暗比、焦点以外にも、イメージを評価する要素として多様な要素をさらに追加できる。
【００７６】
すなわち、以上の説明は、本発明の一実施形態に過ぎず、当業者は、本発明の本質的な特性から外れない範囲で変形された形態に具現できる。したがって、本発明による実施形態に限定されず、特許請求の範囲に記載された内容と同等な範囲内にある多様な実施形態が含まれるように解釈されねばならない。
【産業上の利用可能性】
【００７７】
本発明は、効率的な管理機能を有するデジタル映像機器、例えば、デジタルカメラ、カメラ内蔵型携帯電話、スキャナ、プリンタ、複合機などのＣＥに適用可能である。
【図面の簡単な説明】
【００７８】
【図１】本発明による映像機器を示すブロック図である。
【図２】本発明による映像機器のイメージキャプチャリング方法を示す図面である。
【図３】本発明による映像機器のイメージ編集方法を示す図面である。
【図４】本発明の一実施形態であって、デジタルカメラに適用されたイメージキャプチャリング方法を説明するための図面である。
【図５】本発明の他の実施形態であって、パソコンに適用されたイメージ編集方法を説明するための図面である。
【図６】本発明による評価点数を算出する過程を説明するための図面である。
【図７Ａ】本発明による評価点数を算出するのに使われる各基準を説明するためのヒストグラムの一例である。
【図７Ｂ】本発明による評価点数を算出するのに使われる各基準を説明するためのヒストグラムの一例である。
【図７Ｃ】本発明による評価点数を算出するのに使われる各基準を説明するためのヒストグラムの一例である。
【図７Ｄ】本発明による評価点数を算出するのに使われる各基準を説明するためのヒストグラムの一例である。
【図８】本発明による評価点数の算出方法において、イメージとヒストグラムとの相関関係を説明するための図面である。
【符号の説明】
【００７９】
１０    イメージキャプチャリング部
２０    評価点数算出部
３０    イメージ管理部
４０    イメージ保存部
【図１】
2006042344.tif 000012
【図２】
2006042344.tif 000013
【図３】
2006042344.tif 000014
【図６】
2006042344.tif 000015
【図４】
2006042344.tif 000016
【図５】
2006042344.tif 000017
【図７Ａ】
2006042344.tif 000018
【図７Ｂ】
2006042344.tif 000019
【図７Ｃ】
2006042344.tif 000020
【図７Ｄ】
2006042344.tif 000021
【図８】
2006042344.tif 000022